(57)【要約】  【課題】  安定して高い発光効率を得ることができ、且つ、パネル全体での表示映像の均一性を得ることができるプラズマディスプレイパネル装置およびその駆動方法を提供する。  【解決手段】  表示発光を得る維持期間Ｔ3において、Ｓｃｎ電極１２２ａに印加した所要周期、所要電圧のＳｃｎ電極電圧パルスＶscnが、ＨｉｇｈレベルからＬｏｗレベルへ立ち下がり始めるタイミングｔ１１と、これと略同期したタイミングｔ１３に、第１Ｄａｔ電極１２２ａに所要周期、所要電圧の第１Ｄａｔ電極電圧パルスＶp1を印加する。Ｓｕｓ電極１１２ｂには、Ｓｃｎ電極１１２ａへの印加電圧パルスとは位相が１８０度異なる所要電圧のＳｕｓ電極電圧パルスＶｓｕｓを印加して、上記表示電極１１２間に交流電圧を印加する。Ｓｃｎ電極電圧パルスＶｓｃ、Ｓｕｓ電極電圧パルスＶsusのＨｉｇｈレベル、Ｌｏｗレベルの設定時間を同一としている。  【選択図】  図４
2005308893.tif 000002
【特許請求の範囲】
【請求項１】
放電空間内に放電ガスが充填されてなる密閉容器を有し、前記密閉容器において、放電空間を挟んだ一方に複数の表示電極対が形成され、他方に前記表示電極対と略直交する方向に複数のデータ電極が形成され、前記表示電極対とデータ電極との各立体交差箇所に放電セルが形成されてなるパネル部と、書き込みおよび維持の両期間を備えた表示方式を用い、前記維持期間において、前記表示電極対間に電圧を印加し、且つ、前記データ電極に電圧を印加して前記パネル部の画像表示駆動を行う駆動部とを備えるプラズマディスプレイパネル装置であって、
前記複数のデータ電極は、第１データ電極の群と第２データ電極の群との２群に分割して構成され、且つ、前記放電セルの各々に対して前記第１データ電極群と前記第２データ電極群とが対をなし配されており、
前記維持期間において前記駆動部は、
前記第１データ電極に対して、前記表示電極対の一方への電圧印加に応じたタイミングをもって電圧を印加し、
前記第２データ電極に対して、前記表示電極対の他方への電圧印加に応じたタイミングをもって電圧を印加する
ことを特徴とするプラズマディスプレイパネル装置。
【請求項２】
前記維持期間において、前記第１データ電極への電圧印加によって、前記表示電極対間での維持放電が、当該第１データ電極の側へと伸展された状態で発生し、
前記第２データ電極への電圧印加によって、前記表示電極対間での維持放電が、当該第２データ電極の側へと伸展された状態で発生する
ことを特徴とする請求項１に記載のプラズマディスプレイパネル装置。
【請求項３】
前記維持期間において、前記第１データ電極への電圧印加によって、これに続いて前記表示電極対間で維持放電が発生するまでの間のタイミングで、前記表示電極対と第１データ電極との間に予備放電が発生し、
前記第２データ電極への電圧印加によって、これに続いて前記表示電極対間で維持放電が発生するまでの間のタイミングで、前記表示電極対と第２データ電極との間に予備放電が発生する
ことを特徴とする請求項１に記載のプラズマディスプレイパネル装置。
【請求項４】
前記維持期間において、前記駆動部は、第１データ電極と第２データ電極とに対して交互に電圧を印加する
ことを特徴とする請求項１から３の何れかに記載のプラズマディスプレイパネル装置。
【請求項５】
前記第１データ電極と表示電極対の一方との間で発生する予備放電を第１予備放電とし、前記第２データ電極と表示電極対の他方との間で発生する予備放電を第２予備放電とするとき、
前記維持期間において前記駆動部は、
前記第１データ電極に対して、前記表示電極対間で発生する維持放電に先行して前記第１予備放電が発生するタイミングで電圧を印加し、
前記第２データ電極に対して、前記表示電極対間で発生する維持放電に先行して前記第２予備放電が発生するタイミングで電圧を印加する
ことを特徴とする請求項３または４に記載のプラズマディスプレイパネル装置。
【請求項６】
前記密閉容器は、前記表示電極対を構成要素とする第１パネルと、前記データ電極を構成要素とし、前記第１パネルと放電空間を挟んで対向配置された第２パネルとが重ね合わせられ、外周部分が気密封止されて構成されており、前記複数の放電セルが前記第１パネルおよび第２パネルの面方向にマトリクス状に配されており、
前記表示電極対は、並設されてなるスキャン電極とサスティン電極とから構成され、
前記駆動部には、前記スキャン電極に電圧を印加するスキャンドライバと、前記サスティン電極に電圧を印加するサスティンドライバと、前記第１データ電極に電圧を印加する第１データドライバと、前記第２データ電極に電圧を印加する第２データドライバとが備えられ、
前記４つのドライバは、互いに独立したタイミングをもって駆動可能に構成されている
ことを特徴とする請求項１から５の何れかに記載のプラズマディスプレイパネル装置。
【請求項７】
放電空間内に放電ガスが充填されてなる密閉容器を有し、前記密閉容器において、放電空間を挟んだ一方に複数の表示電極対が形成され、他方に前記表示電極対と略直交する方向に複数のデータ電極が形成され、前記表示電極対とデータ電極との各立体交差箇所に放電セルが形成されてなるパネル部に対して、書き込みおよび維持の両期間を備えた表示方式を用い、前記維持期間において、前記表示電極対間に電圧を印加し、且つ、前記データ電極に電圧を印加して画像表示駆動を行うプラズマディスプレイパネル装置の駆動方法であって、
前記複数のデータ電極は、第１データ電極の群と第２データ電極の群との２群に分割して構成され、且つ、前記放電セルの各々に対して前記第１データ電極と第２データ電極とが対をなし配されており、
前記維持期間において、
前記第１データ電極には、前記表示電極対の一方への電圧印加に応じたタイミングをもって電圧が印加され、
前記第２データ電極には、前記表示電極対の他方への電圧印加に応じたタイミングをもって電圧が印加される
ことを特徴とするプラズマディスプレイパネル装置の駆動方法。
【請求項８】
前記表示電極対は、並設されたスキャン電極およびサスティン電極から構成されており、前記維持期間に前記表示電極対の各々に対して印加される電圧は、ＨｉｇｈレベルとＬｏｗレベルとの２値を有するパルス状のものであって、
前記パルス状の電圧におけるＨｉｇｈレベルの設定時間が前記Ｌｏｗレベルの設定時間と同一またはそれよりも長い場合には、
前記維持期間において、
前記スキャン電極へ印加の電圧が前記ＨｉｇｈレベルからＬｏｗレベルへと立ち下がり始めるタイミングに応じて、前記第１データ電極への電圧の印加タイミングが設定され、且つ、前記サスティン電極へ印加の電圧が前記ＨｉｇｈレベルからＬｏｗレベルへと立ち下がり始めるタイミングに応じて、前記第２データ電極への電圧の印加タイミングが設定される
ことを特徴とする請求項７に記載のプラズマディスプレイパネル装置の駆動方法。
【請求項９】
前記維持期間において、
前記第１データ電極への印加電圧の立ち上がり始めのタイミングは、前記スキャン電極への印加電圧における前記立ち下がり始めるタイミングを基準とし、当該基準に対し１．０μｓｅｃ．先行時点から０．５μｓｅｃ．経過時点に至るまでの期間内に設定されており、
前記第２データ電極への印加電圧の立ち上がり始めのタイミングは、前記サスティン電極への印加電圧における前記立ち下がり始めるタイミングを基準とし、当該基準に対し１．０μｓｅｃ．先行時点から０．５μｓｅｃ．経過時点に至るまでの期間内に設定されている
ことを特徴とする請求項８に記載のプラズマディスプレイパネル装置の駆動方法。
【請求項１０】
前記表示電極対は、並設されたスキャン電極およびサスティン電極から構成されており、前記維持期間に前記表示電極対の各々に対して印加される電圧は、ＨｉｇｈレベルとＬｏｗレベルとの２値を有するパルス状のものであって、
前記パルス状の電圧におけるＨｉｇｈレベルの設定時間が前記Ｌｏｗレベルの設定時間よりも短い場合には、
前記維持期間において、
前記スキャン電極へ印加の電圧が前記ＬｏｗレベルからＨｉｇｈレベルへと立ち上がり始めるタイミングに応じて、前記第１データ電極への電圧の印加タイミングが設定され、且つ、前記サスティン電極へ印加の電圧が前記ＬｏｗレベルからＨｉｇｈレベルへと立ち上がり始めるタイミングに応じて、前記第２データ電極への電圧の印加タイミングが設定される
ことを特徴とする請求項７に記載のプラズマディスプレイパネル装置の駆動方法。
【請求項１１】
前記維持期間において、
前記第１データ電極への印加電圧の立ち上がり始めのタイミングは、前記スキャン電極への印加電圧における前記立ち上がり始めるタイミングを基準とし、当該基準に対し１．０μｓｅｃ．先行時点から０．５μｓｅｃ．経過時点に至るまでの期間内に設定されており、
前記第２データ電極への印加電圧の立ち上がり始めのタイミングは、前記サスティン電極への印加電圧における前記立ち上がり始めるタイミングを基準とし、当該基準に対し１．０μｓｅｃ．先行時点から０．５μｓｅｃ．経過時点に至るまでの期間内に設定されている
ことを特徴とする請求項１０に記載のプラズマディスプレイパネル装置の駆動方法。
【請求項１２】
前記維持期間において、前記第１データ電極および第２データ電極へ印加の電圧は、各々パルス状のものであって、ともに前記表示電極対の各々に対して印加される電圧の周期と同一周期長さに設定されている
ことを特徴とする請求項７から１１の何れかに記載のプラズマディスプレイパネル装置の駆動方法。
【請求項１３】
前記維持期間において、
前記第1データ電極および第２データ電極の各々への印加電圧の立ち下がり始めのタイミングは、前記表示電極間での維持放電が終了した後に設定されている
ことを特徴とする請求項８から１２の何れかに記載のプラズマディスプレイパネル装置の駆動方法。
【請求項１４】
前記維持期間に第１データ電極および第２データ電極の各々に対して印加される電圧は、パルス状波形を有するものであって、
前記第１データ電極への印加電圧と第２データ電極への印加電圧とは、互いの波形のＨｉｇｈレベル状態が時間的に重畳しないように設定されている
ことを特徴とする請求項８から１３の何れかに記載のプラズマディスプレイパネル装置の駆動方法。
【発明の詳細な説明】
【技術分野】
【０００１】
本発明は、プラズマディスプレイパネル装置およびその駆動方法に関する。
【背景技術】
【０００２】
プラズマディスプレイパネル装置（以下では、「ＰＤＰ装置」という。）には交流型（ＡＣ型）と直流型（ＤＣ）とがあるが、現在、信頼性および画質などの面から優れるＡＣ型が普及している。ＡＣ型ＰＤＰ装置の構成の内、パネル部の構成について、図８を用いて説明する。
図８に示すように、ＰＤＰ装置のパネル部５００は、前面パネル５１０と背面パネル５２０とが、背面パネル５２０の隔壁５２４を間に介した状態で対向配置され、パネル５１０、５２０の外周部どうしが封止された構造を有する。そして、パネル５１０、５２０間において、隔壁５２４で仕切られた放電空間５３０には、Ｎｅ−Ｘｅ系あるいはＨｅ−Ｘｅ系などの放電ガスが封入されている。
【０００３】
２枚のパネル５１０、５２０の内、前面パネル５１０は、前面基板５１１の表面上に表示電極対５１２、誘電体層５１３、保護層５１４が順に積層された構成を有する。表示電極対５１２は、各々が透明電極５１２ａ１、５１２ｂ１とバス電極５１２ａ２、５１２ｂ２との積層構造からなるスキャン電極（以下では、「Ｓｃｎ電極」と記載する。）５１２ａおよびサスティン電極（以下では、「Ｓｕｓ電極」と記載する。）５１２ｂで構成されている。
【０００４】
一方、背面パネル５２０は、背面基板５２１の表面上にデータ電極（以下では、「Ｄａｔ電極」と記載する。）５２２、誘電体層５２３が順に積層され、さらに、誘電体層５２３の表面上における各Ｄａｔ電極５２２間の部分に隔壁５２４が形成されている。また、誘電体層５２３および隣り合う一対の隔壁５２４で構成される各溝部分には、赤、緑、青の蛍光体層５２５が順に形成されている。なお、前面パネル５１０と背面パネル５２０との配置の方向は、表示電極対５１２とＤａｔ電極５２２とが略直交する方向にされている。
【０００５】
ＰＤＰ装置は、上記パネル部５００以外に、各電極５１２、５２２に電圧を印加する駆動部（図示を省略。）を有する。ＰＤＰ装置の駆動には、所謂、時分割階調表示方式が用いられるのが一般的であり、１フィールドを複数のサブフィールドに分割し、各サブフィールドを初期化期間、書き込み期間、維持期間等から構成している。その中で、維持期間について、図９（ａ）を用いて説明する。
【０００６】
図９（ａ）に示すように、維持期間において、Ｓｃｎ電極５１２ａとＳｕｓ電極５１２ｂとの間には、それぞれスキャンパルスＶSCNとサスティンパルスＶSUSとが互いに位相が異なる状態で印加される。一方、維持期間において、Ｄａｔ電極５２２は、零電位で一定に維持された状態にある。ＰＤＰ装置では、このような維持期間における表示電極対５１２への交流電圧の印加をもって維持放電を生じさせ、書き込み期間で選択された各放電セルから可視光を発光する構成を有してる。
【０００７】
ところで、ＰＤＰ装置は、画像表示装置として従来から広く用いられているＣＲＴ装置などに比べて、その発光効率が低いという問題点がある。この問題点に対しては、従来からも種々の方策が講じられている。例えば、特許文献１には、維持期間における維持放電に先立って呼び放電を生じさせるという方法を採ったものが示されている。この方法は、図９（ｂ）に示すように、維持期間において、維持放電の発生に先行してＤａｔ電極５２２にパルス電圧を印加し、これによって放電空間内に図１０に示すような予備放電を生じさせる。そして、この公報のＰＤＰ装置では、予備放電によるプライミング効果をもって、Ｓｃｎ電極５１２ａとＳｕｓ電極５１２ｂとの間の放電開始電圧を低下させることができる。
【特許文献１】特開２００１−５４２５号公報
【発明の開示】
【発明が解決しようとする課題】
【０００８】
しかしながら、上記特許文献１のＰＤＰ装置では、維持期間におけるＤａｔ電極５２２へのパルス電圧の印加タイミングの設定マージンが非常に狭い場合があり、発光効率のバラツキや、表示映像の不均一といったような問題が生じることがある。即ち、上記特許文献１のＰＤＰ装置では、維持期間において、各放電セルに対応して設けられた１本のＤａｔ電極５２２に対して、連続してパルス電圧が印加されることになり、その印加タイミングの設定マージンが条件によっては非常に狭くなる。特に、パネルの発光効率は、維持期間におけるＤａｔ電極５２２への印加パルス電圧の立下りタイミングによって急激に変化する特性があり、印加タイミングのズレや速度バラツキなどがあれば、上述のように発光効率のバラツキ、表示映像の不均一などの問題を生じることになる。
【０００９】
また、上記特許文献１のＰＤＰ装置において、維持期間におけるＤａｔ電極５２２へのパルス電圧の印加タイミングは、放電空間５３０に封入される放電ガス成分や放電セルの構造などによっても大きく影響を受ける。このため、上記特許文献１のＰＤＰ装置では、高い発光効率と表示映像の均一性確保などのために、駆動条件を最適な範囲に維持することが困難である。
【００１０】
本発明は、上記問題を解決しようとなされたものであって、安定して高い発光効率を得ることができ、且つ、パネル全体での表示映像の均一性を得ることができるプラズマディスプレイパネル装置およびその駆動方法を提供することを目的とする。
【課題を解決するための手段】
【００１１】
上記目的を達成するために、本発明は、次の特徴を有することとした。
（１）放電空間内に放電ガスが充填されてなる密閉容器を有し、密閉容器において、放電空間を挟んだ一方に複数の表示電極対（Ｓｃｎ電極とＳｕｓ電極との対）が形成され、他方に表示電極対と略直交する方向に複数のＤａｔ電極が形成され、表示電極対とＤａｔ電極との各立体交差箇所に放電セルが形成されてなるパネル部と、書き込みおよび維持の両期間を備えた表示方式を用い、維持期間において、表示電極対間に電圧を印加し、且つ、Ｄａｔ電極に電圧を印加してパネル部の画像表示駆動を行う駆動部とを備えるＰＤＰ装置であって、複数のＤａｔ電極は、第１Ｄａｔ電極の群と第２Ｄａｔ電極の群との２群に分割して構成され、放電セルの各々に対して第１Ｄａｔ電極と第２Ｄａｔ電極とが対をなし配されており、維持期間において駆動部は、第１Ｄａｔ電極に対して、表示電極対の一方（Ｓｃｎ電極またはＳｕｓ電極）への電圧印加に応じたタイミングをもって電圧を印加し、一方、第２Ｄａｔ電極に対して、表示電極対の他方への電圧印加に応じたタイミングをもって電圧を印加することを特徴とする。
【００１２】
（２）上記（１）に係るＰＤＰ装置であって、維持期間において、第１Ｄａｔ電極への電圧印加によって、表示電極対間で発生の維持放電が、当該第１Ｄａｔ電極の側へと伸展し、第２Ｄａｔ電極への電圧印加によって、表示電極対間で発生の維持放電が、当該第２Ｄａｔ電極の側へと伸展することを特徴とする。
（３）上記（１）に係るＰＤＰ装置であって、維持期間において、第１Ｄａｔ電極への電圧印加によって、これに続いて表示電極対間で維持放電が発生するまでの間のタイミングで、表示電極対と第１Ｄａｔ電極との間に予備放電が発生し、第２Ｄａｔ電極への電圧印加によって、これに続いて表示電極対間で維持放電が発生するまでの間のタイミングで、表示電極対と第２Ｄａｔ電極との間に予備放電が発生することを特徴とする。
【００１３】
（４）上記（１）〜（３）の何れかに係るＰＤＰ装置であって、維持期間において、駆動部は、第１Ｄａｔ電極と第２Ｄａｔ電極とに対して交互に電圧を印加することを特徴とする。
（５）上記（３）または（４）に係るＰＤＰ装置であって、第１Ｄａｔ電極と表示電極対の一方との間で発生する予備放電を第１予備放電とし、前記第２Ｄａｔ電極と表示電極対の他方との間で発生する予備放電を第２予備放電とするとき、維持期間において駆動部は、第１Ｄａｔ電極に対して、表示電極対間で発生する維持放電に先行して第１予備放電が発生するタイミングで電圧を印加し、一方、第２Ｄａｔ電極に対して、表示電極対間で発生する維持放電に先行して第２予備放電が発生するタイミングで電圧を印加することを特徴とする。
【００１４】
（６）上記（１）〜（５）の何れかに係るＰＤＰ装置であって、密閉容器は、表示電極対を構成要素とする第１パネルと、Ｄａｔ電極を構成要素とし、第１パネルと放電空間を挟んで対向配置された第２パネルとが重ね合わせられ、これらの外周部分が気密封止されて構成されており、複数の放電セルが第１パネルおよび第２パネルの面方向にマトリクス状に配されたものであって、表示電極対は、並設されてなるＳｃｎ電極とＳｕｓ電極とから構成され、駆動部には、Ｓｃｎ電極に電圧を印加するＳｃｎドライバと、Ｓｕｓ電極に電圧を印加するＳｕｓドライバと、第１Ｄａｔ電極に電圧を印加する第１Ｄａｔドライバと、第２Ｄａｔ電極に電圧を印加する第２Ｄａｔドライバとが備えられ、４つのドライバは、互いに独立したタイミングをもって駆動可能に構成されていることを特徴とする。
【００１５】
（７）放電空間内に放電ガスが充填されてなる密閉容器を有し、密閉容器において、放電空間を挟んだ一方に複数の表示電極対（Ｓｃｎ電極とＳｕｓ電極との対）が形成され、他方に表示電極対と略直交する方向に複数のＤａｔ電極が形成され、表示電極対とＤａｔ電極との各立体交差箇所に放電セルが形成されてなるパネル部に対して、書き込みおよび維持の両期間を備えた表示方式を用い、維持期間において、表示電極対間に電圧を印加し、且つ、Ｄａｔ電極に電圧を印加して画像表示駆動を行うＰＤＰ装置の駆動方法であって、複数のＤａｔ電極は、第１Ｄａｔ電極の群と第２Ｄａｔ電極の群との２群に分割して構成され、放電セルの各々に対して第１Ｄａｔ電極と第２Ｄａｔ電極とが対をなし配されており、維持期間において、第１Ｄａｔ電極には、表示電極対の一方（Ｓｃｎ電極またはＳｕｓ電極）への電圧印加に応じたタイミングをもって電圧が印加され、一方、第２Ｄａｔ電極には、表示電極対の他方への電圧印加に応じたタイミングをもって電圧が印加されることを特徴とする。
【００１６】
（８）上記（７）に係るＰＤＰ装置の駆動方法であって、表示電極対は、並設されたＳｃｎ電極およびＳｕｓ電極から構成されており、維持期間にＳｃｎ電極およびＳｕｓ電極の各々に対して印加される電圧は、ＨｉｇｈレベルとＬｏｗレベルとの２値を有するパルス状のものであって、パルス状の電圧におけるＨｉｇｈレベルの設定時間がＬｏｗレベルの設定時間と同一またはそれよりも長い場合には、維持期間において、Ｓｃｎ電極へ印加の電圧がＨｉｇｈレベルからＬｏｗレベルへと立ち下がり始めるタイミングに応じて、第１Ｄａｔ電極への電圧の印加タイミングが設定され、且つ、Ｓｕｓ電極へ印加の電圧がＨｉｇｈレベルからＬｏｗレベルへと立ち下がり始めるタイミングに応じて、第２Ｄａｔ電極への電圧の印加タイミングが設定されることを特徴とする。
【００１７】
（９）上記（８）に係るＰＤＰ装置の駆動方法であって、維持期間において、第１Ｄａｔ電極への印加電圧の立ち上がり始めのタイミングは、Ｓｃｎ電極への印加電圧における立ち下がり始めるタイミングを基準とし、当該基準に対し１．０μｓｅｃ．先行時点から０．５μｓｅｃ．経過時点に至るまでの期間内に設定されており、一方、第２Ｄａｔ電極への印加電圧の立ち上がり始めのタイミングは、Ｓｕｓ電極への印加電圧における立ち下がり始めるタイミングを基準とし、当該基準に対し１．０μｓｅｃ．先行時点から０．５μｓｅｃ．経過時点に至るまでの期間内に設定されていることを特徴とする。
【００１８】
（１０）上記（７）に係るＰＤＰ装置の駆動方法であって、表示電極対は、並設されたＳｃｎ電極およびＳｕｓ電極から構成されており、維持期間に表示電極対の各々に対して印加される電圧は、ＨｉｇｈレベルとＬｏｗレベルとの２値を有するパルス状のものであって、このパルス状の電圧におけるＨｉｇｈレベルの設定時間がＬｏｗレベルの設定時間よりも短い場合には、維持期間において、Ｓｃｎ電極へ印加の電圧がＬｏｗレベルからＨｉｇｈレベルへと立ち上がり始めるタイミングに応じて、第１Ｄａｔ電極への電圧の印加タイミングが設定され、且つ、Ｓｕｓ電極へ印加の電圧がＬｏｗレベルからＨｉｇｈレベルへと立ち上がり始めるタイミングに応じて、第２Ｄａｔ電極への電圧の印加タイミングが設定されることを特徴とする。
【００１９】
（１１）上記（１０）に係るＰＤＰ装置の駆動方法であって、維持期間において、第１Ｄａｔ電極への印加電圧の立ち上がり始めのタイミングは、Ｓｃｎ電極への印加電圧における立ち上がり始めるタイミングを基準とし、当該基準に対し１．０μｓｅｃ．先行時点から０．５μｓｅｃ．経過時点に至るまでの期間内に設定されており、第２Ｄａｔ電極への印加電圧の立ち上がり始めのタイミングは、Ｓｕｓ電極への印加電圧における立ち上がり始めるタイミングを基準とし、当該基準に対し１．０μｓｅｃ．先行時点から０．５μｓｅｃ．経過時点に至るまでの期間内に設定されていることを特徴とする。
【００２０】
（１２）上記（７）〜（１１）の何れかに係るＰＤＰ装置の駆動方法であって、維持期間において、第１Ｄａｔ電極および第２Ｄａｔ電極へ印加の電圧は、各々パルス状のものであって、ともに表示電極対の各々に対して印加される電圧の周期と同一周期長さに設定されている  ことを特徴とする。
（１３）上記（８）〜（１２）の何れかに係るＰＤＰ装置の駆動方法であって、維持期間において、第1Ｄａｔ電極および第２Ｄａｔ電極の各々への印加電圧の立ち下がり始めのタイミングは、表示電極間での維持放電が終了した後に設定されていることを特徴とする。
【００２１】
（１４）上記（８）〜（１３）の何れかに係るＰＤＰ装置の駆動方法であって、維持期間に第１Ｄａｔ電極および第２Ｄａｔ電極の各々に対して印加される電圧は、パルス状波形を有するものであって、第１Ｄａｔ電極への印加電圧と第２Ｄａｔ電極への印加電圧とは、互いの波形のＨｉｇｈレベル状態が時間的に重畳しないように設定されていることを特徴とする。
【発明の効果】
【００２２】
本発明に係るＰＤＰ装置およびその駆動方法では、Ｄａｔ電極を第１Ｄａｔ電極群と第２Ｄａｔ電極群との２群に分割して構成し、各放電セルにおいて第１Ｄａｔ電極と第２Ｄａｔ電極とを対にして存在させる構造を採用し、さらに、維持期間において、第１Ｄａｔ電極と第２Ｄａｔ電極とに交互に電圧を印加できる。この場合、各放電セルの放電空間内では、維持期間において、第１Ｄａｔ電極に電圧を印加した際の維持放電は第１Ｄａｔ電極が配された側に誘導されて生じ、他方、第２Ｄａｔ電極に電圧を印加した際の維持放電は第２Ｄａｔ電極が配された側に誘導されて生じることになる。
【００２３】
維持期間において、第１Ｄａｔ電極と第２Ｄａｔ電極とに電圧を印加することによって、本発明に係るＰＤＰ装置およびその駆動方法では、高い発光効率を得ることができる。また、本発明に係るＰＤＰ装置およびその駆動方法では、維持期間において、第１Ｄａｔ電極と第２Ｄａｔ電極とに対して交互に電圧を印加する構成となっているので、上記特許文献１に係るＰＤＰ装置のように、印加タイミングのズレや速度バラツキなどを生じ難く、発光効率のバラツキや表示映像の不均一などの問題を生じ難い。即ち、第１Ｄａｔ電極または第２Ｄａｔ電極の個々については、維持期間での電圧の印加の間隔が上記特許文献１のＰＤＰ装置の駆動方法の場合に比べて非常に長く設定することが可能となり、パネル部の構成などを考慮して最適なタイミングで維持期間にＤａｔ電極への電圧印加が可能となる。
【００２４】
従って、本発明に係るＰＤＰ装置およびその駆動方法では、安定して高い発光効率を得ることができ、且つ、パネル全体での表示映像の均一性を得ることができる。
なお、上記（２）および（３）のように、本発明では、維持期間における第１Ｄａｔ電極および第２Ｄａｔ電極への電圧印加によって、これらのＤａｔ電極と表示電極対との間に維持放電に先行する予備放電を伴うものであっても、伴わないものであっても、上記優位性を得ることができる。即ち、第１Ｄａｔ電極および第２Ｄａｔ電極への電圧印加ｎよって予備放電を生じない構成であっても、放電空間内の電界状態に影響を及ぼすことが可能であって、維持放電を当該電圧印加を実施した側のＤａｔ電極の方へと伸展した状態で発生させることが可能となる。
【発明を実施するための最良の形態】
【００２５】
以下、本発明の実施の形態について、図面を用いて説明する。なお、以下で説明する実施の形態については、本発明の構成および作用における特徴を説明するための、一例として用いるものであって、本発明は、これに限定を受けるものではない。
（実施の形態１）
１．パネル部１０の構成
本発明の実施の形態１に係るＰＤＰ装置１のパネル部１０の構成について、図１を用いて説明する。図１は、実施の形態１にかかるパネル部１０の構造を示す斜視図であって、図８に示した従来のパネル部５００と比べると、背面パネル１２において、１つの放電セルについて、第１データ電極（以下では、「第１Ｄａｔ電極」と記載する。）１２２ａと第２データ電極（以下では、「第２Ｄａｔ電極」と記載する。）１２２ｂとが対をなして並設されている点が異なっているが、他は同様である。
【００２６】
１−１．前面パネル１１の構成
前面パネル１１は、前面基板１１１における背面パネル１２と対向する側の面（図１では下面）に、スキャン電極（以下では、「Ｓｃｎ電極」と記載する。）１１２ａとサスティン電極（以下では、「Ｓｕｓ電極」と記載する。）１１２ｂからなる表示電極対１１２が、互いに平行に複数対配置され、この表示電極対１１２を覆うように、誘電体層１１３および保護層１１４が順に被覆形成されている。
【００２７】
Ｓｃｎ電極１１２ａおよびＳｕｓ電極１１２ｂの各々は、ＩＴＯ（錫ドープ酸化インジウム）、ＳｎＯ2、ＺｎＯなどからなる幅広の透明電極１１２ａ１、１１２ｂ１と、電気抵抗を下げるためのＣｒ−Ｃｕ−ＣｒやＡｇなどから形成されたバス電極１１２ａ２、１１２ｂ２とをそれぞれ組み合わせて構成されている。そして、対をなすＳｃｎ電極１１２ａとＳｕｓ電極１１２ｂとは、間に間隙ｄ（例えば、８０μｍ）を有し並設されている。
【００２８】
また、誘電体層１１３は、低融点ガラス材料から形成されており、保護層１１４は、酸化マグネシウム（ＭｇＯ）を材料として形成されている。
１−２．背面パネル１２の構成
背面パネル１２は、背面基板１２１における前面パネル１１と対向する側の面（図１では上面）には、表示電極対１１２と略直交する方向に、第１Ｄａｔ電極１２２ａと第２Ｄａｔ電極１２２ｂとで構成されるデータ電極対（以下では、「Ｄａｔ電極対」と記載する。）１２２が、複数対配置されて、このＤａｔ電極対１２２を覆うように、誘電体層１２３が形成されている。また、誘電体層１２３上には、隣り合うＤａｔ電極対１２２間に隔壁１２４が立設されていて、誘電体層１２３と隣り合う隔壁１２４で形成される溝の内壁面には、Ｄａｔ電極対１２２に沿った方向に蛍光体層１２５が設けられている。
【００２９】
Ｄａｔ電極対１２２を構成する各Ｄａｔ電極１２２ａ、１２２ｂの各々は、例えば、銀（Ａｇ）などの金属材料から形成されている。また、形成材料には、Ａｇの他に、金（Ａｕ）、クロム（Ｃｒ）、銅（Ｃｕ）、ニッケル（Ｎｉ）、白金（Ｐｔ）等の金属材料や、これらを組み合わせたものも用いることもできる。
誘電体層１２３は、基本的に前面パネル１１の誘電体層１１３と同じく、低融点ガラス材料から形成されているが、酸化チタン（ＴｉＯ2）が含まれたものでもよい。また、隔壁１２４は、例えば、鉛ガラス材料を用い形成されている。
【００３０】
蛍光体層１２５は、赤色（Ｒ）、緑色（Ｇ）、青色（Ｂ）の３色からなり、例えば、次に示すような各色蛍光体を用い、溝毎にＲ、Ｇ、Ｂの順で繰り返して形成されている。
Ｒ蛍光体；（Ｙ、Ｇｄ）ＢＯ3：Ｅｕ
Ｇ蛍光体；Ｚｎ2ＳｉＯ4：Ｍｎ
Ｂ蛍光体；ＢａＭｇ2Ａｌ14Ｏ24：Ｅｕ
１−３．前面パネル１１と背面パネル１２との配置
パネル部１０は、前面パネル１１と背面パネル１２とが、ギャップ材として背面パネル１２に形成された隔壁１２４を間に挟み、且つ、表示電極対１１２とＤａｔ電極対１２２とが略直行する方向に配され、この状態で各々のパネル１１、１２の外周部どうしが封止されて構成されている。これによって、前面パネル１１と背面パネル１２との間には、各隔壁１２４によって仕切られた放電空間１３が形成され、当該放電空間１３にＮｅ、Ｘｅ、Ｈｅ等が混合されてなる放電ガスが充填され構成されている。放電ガスの封入圧力は、例えば、５０〜８０（ｋＰａ）程度である。
【００３１】
パネル部１０では、表示電極対１１２とＤａｔ電極対１２２とが立体交差する各箇所に放電セル（不図示）が形成される。そして、パネル部１０には、複数の放電セルがマトリックス配列された状態となっている。
２．ＰＤＰ装置１の全体構成
次に、上記パネル部１０を備えるＰＤＰ装置１の全体構成について、図２を用いて説明する。図２は、ＰＤＰ表示装置１の全体構成をブロック図で示したものである。なお、図２においては、電力供給経路等を省略している。
【００３２】
図２に示すように、本実施の形態に係るＰＤＰ装置１は、上述のパネル部１０とこれを画像表示駆動させる駆動回路部２０とから構成されている。ここで、駆動回路部２０は、パネル部１０をフィールド内時分割階調表示方式によって階調制御し、画像表示駆動させる。
表示駆動部２０は、プリプロセッサ２１、フレームメモリ２２、同期パルス・タイミング生成部２３、維持データパルス・タイミング生成部２８と、スキャンドライバ（以下では、「Ｓｃｎドライバ」と記載する。）２４、サスティンドライバ（以下では、「Ｓｕｓドライバ」と記載する。）、第１データドライバ（以下では、「第１Ｄａｔドライバ」と記載する。）２６、第２データドライバ（以下では、「第２Ｄａｔドライバ」と記載する。）２７から構成されている。
【００３３】
この内、プリプロセッサ２１は、当該装置１に入力されてくる映像データからフィールド毎の映像データ（フィールドデータ）を抽出し、抽出したフィールドデータから各サブフィールドの映像データ（サブフィールドデータ）を作成する。プリプロセッサ２１は、作成したサブフィールドデータをフレームメモリ２２に格納する。また、プリプロセッサ２１は、フレームメモリ２２に格納されているカレントサブフィールドデータから１ラインづつ第１Ｄａｔドライバ２６および第２Ｄａｔドライバ２７のそれぞれにデータを出力し、入力される映像データから水平同期信号、垂直同期信号などの同期信号を検出し、同期パルス・タイミング生成部２３にフィールド毎およびサブフィールド毎にタイミング信号を送信する。
【００３４】
フレームメモリ２２は、フィールド毎に１フィールド分のメモリ領域（例えば、８個のサブフィールドデータを格納）を２個備える２ポートフレームメモリであって、一方のメモリ領域にサブフィールドデータを書き込みながら、他方のメモリ領域からここに書き込まれているサブフィールドデータを読み出す動作が交互に実行できるように構成されている。
【００３５】
同期パルス・タイミング生成部２３は、プリプロセッサ２１から送られてくるタイミング信号を参照して、初期化パルス、走査パルス、維持パルスを立ち上がらせるタイミング信号を生成し、各ドライバ２４、２５、２６、２７に送信する。また、同期パルス・タイミング生成部２３は、維持期間に第１Ｄａｔドライバ２６および第２Ｄａｔドライバ２７の各々にパルス印加のタイミング信号を生成する維持データパルス・タイミング生成部２８に対してタイミング信号を送信する。
【００３６】
Ｓｃｎドライバ２４は、公知のドライバＩＣからなる駆動回路で構成されており、、同期パルス・タイミング生成部２３から送られてくるタイミング信号に応じて、初期化パルス、走査パルスを生成し、パネル部１０におけるＳｃｎ電極１１２ａの各々に対して印加する。
Ｓｕｓドライバ２５は、公知のドライバＩＣからなる駆動回路で構成されおり、同期パルス・タイミング信号生成部２３から送られてくるタイミング信号に応じて、初期化パルス、維持パルスを生成し、パネル部１０におけるＳｕｓ電極１１２ｂの各々に対して印加する。
【００３７】
第１Ｄａｔドライバ２６および第２Ｄａｔドライバ２７は、公知のドライバＩＣからなる駆動回路で構成されており、それぞれパネル部１０の第１Ｄａｔ電極１２２ａおよび第２Ｄａｔ電極１２２ｂに接続されている。これらのドライバ２６、２７の各々は、プリプロセッサ２１からのサブフィールドデータと同期パルス・タイミング生成部２３からのタイミング信号を基に、書き込み期間において複数のＤａｔ電極対１２２の中から選択的に書き込みパルスを印加する。また、第１Ｄａｔドライバ２６および第２Ｄａｔドライバ２７は、維持期間において、維持データパルス・タイミング生成部２８からのタイミング信号を基に、内蔵される駆動回路毎に第１Ｄａｔ電極１２２ａおよび第２Ｄａｔ電極１２２ｂのそれぞれ毎にパルス（以下では、このパルスを「維持Ｄａｔパルス」という。）を印加する。この印加に係る制御方法については、後述する。
【００３８】
３．ＰＤＰ装置１の駆動方法
３−１．駆動方法全体
次に、ＰＤＰ装置１の駆動方法について、図３を用いて説明する。図３は、フィールド内時分割階調表示方式をもって、例えば、２５６階調を表現するために１フィールドを８つのサブフィールドＳＦ１〜ＳＦ８に分割する方法を示すものであって、横軸が時間を示し、斜線を引いているところが書き込み期間を示している。
【００３９】
図３に示すように、本実施の形態に係るＰＤＰ装置１の駆動方法では、１フィールドを８つのサブフィールドＳＦ１〜ＳＦ８に分割し、各サブフィールドの輝度相対比率が１：２：４：８：１６：３２：６４：１２８となるように維持パルス数が設定されている。そして、各サブフィールドＳＦ１〜ＳＦ８の点灯／非点灯を表示輝度のデータに従って制御することにより、８つのサブフィールドの組み合わせをもって２５６階調が表示可能になっている。なお、本実施の形態においては、２５６階調で制御するものであるが、本発明は、これに限定を受けるものではない。
【００４０】
各サブフィールドは、一定の時間を割り当てられた初期化期間Ｔ1、書き込み期間Ｔ2と、輝度の相対比率に応じた長さの時間で設定された維持期間Ｔ3とから構成されている。例えば、本実施の形態に係るパネル部１０の表示駆動を行う際には、まず、初期化期間Ｔ1において、パネル部１０の全放電セルにおいて初期化放電を発生させ、これによって当該サブフレームよりも前のサブフレームに行われた放電による影響の除去や放電特性のバラツキを吸収するための初期化が実施される。
【００４１】
次に、書き込み期間Ｔ2において、サブフィールドデータに基づいてＳｃｎ電極１１２ａ（１）〜１１２ａ（ｋ）を１ライン毎に順にスキャンして行き、当該サブフィールドで維持放電させたい放電セルに対して、Ｓｃｎ電極１１２ａとＤａｔ電極対１２２との間で微少な放電を発生させる。このようにＳｃｎ電極１１２ａとＤａｔ電極対１２２との間で微少な放電を生じた放電セルでは、前面パネル１１の保護層１１４の表面に壁電荷が蓄えられる。なお、書き込み期間Ｔ2においては、Ｄａｔ電極対１２２を構成する第１Ｄａｔ電極１２２ａと第２Ｄａｔ電極１２２ｂとの両方に対して電圧パルスを印加する必要は必ずしもなく、どちらか一方に印加することとしてもよい。
【００４２】
その後、維持期間Ｔ3において、Ｓｕｓ電極１１２ｂおよびＳｃｎ電極１１２ａに対し、所定の周期（例えば、６μｓｅｃ．）、所定の電圧（例えば、１８０Ｖ）で矩形波の維持パルス３００、３１０を印加する。Ｓｕｓ電極１１２ｂに印加する維持パルス３００と、Ｓｃｎ電極１１２ａに印加する維持パルス３１０とは、互いに同一の周期を有し、且つその位相が半周期ずれた状態となっており、パネル部１０における全放電セルに対して同時に印加される。
【００４３】
また、図３にも示すとおり、本実施の形態に係るＰＤＰ装置１では、維持期間Ｔ3において、第１Ｄａｔ電極１２２ａおよび第２Ｄａｔ電極１２２ｂに対しても矩形波のパルス（維持Ｄａｔパルス）３２０、３３０が印加される。
３−２．維持Ｄａｔパルス３２０、３３０の印加について
次に、ＰＤＰ装置１の駆動でも、本実施の形態１の特徴部分である維持期間Ｔ3における駆動形態について、図４および図５の両図を用いて説明する。なお、図５は、本実施の形態１のＰＤＰ装置１の放電表示単位である放電セルにおける放電過程を示す概念図である。
【００４４】
図４に示すように、表示発光を得る維持期間Ｔ3において、Ｓｃｎ電極１２２ａ（１）〜（ｋ）に印加したＳｃｎ電極電圧パルスＶscnが、ＨｉｇｈレベルからＬｏｗレベルへ立ち下がり始めるタイミングｔ１１と、これとほぼ同期したタイミングｔ１３に、第１Ｄａｔ電極１２２ａに所要周期（例えば、６μｓｅｃ．）、所要電圧（例えば、約７０Ｖ）の第１Ｄａｔ電極電圧パルスＶp1を印加する。Ｓｕｓ電極１１２ｂには、Ｓｃｎ電極１１２ａへの印加電圧パルスとは位相が１８０度異なる所要電圧（例えば、約１８０Ｖ）のＳｕｓ電極電圧パルスＶｓｕｓを印加して、上記表示電極１１２間に交流電圧を印加する。これにより、Ｓｃｎ電極１１２ａとＳｕｓ電極１１２ｂとの間の電位差が放電開始電圧を超えるタイミングｔ１５から発光波形が観察される。なお、本実施の形態においては、Ｓｃｎ電極電圧パルスＶscn、Ｓｕｓ電極電圧パルスＶsusのＨｉｇｈレベル、Ｌｏｗレベルの設定時間を同一としている。
【００４５】
図４に示す方法による駆動により、図５（ａ）に示すように、表示電極対１１２間で発生する維持放電は、第１Ｄａｔ電極１２２ａとＳｃｎ電極１１２ａおよびＳｕｓ電極１１２ｂとの間において、電気力線が第１Ｄａｔ電極１２２ａの電位による影響を受け、背面パネル１３の第１Ｄａｔ電極１２２ａの側（図５（ａ）における向かって左側）に誘導された第１の維持放電を発生することになる。
【００４６】
第１Ｄａｔ電極電圧パルスおよび以下で説明の第２Ｄａｔ電極電圧パルスは、それぞれＳｃｎ電極電圧パルスおよびＳｕｓ電極電圧パルスと同じ周期で印加される。また、維持期間Ｔ3において、第１Ｄａｔ電極１２２ａおよび第２Ｄａｔ電極１２２ｂのそれぞれに印加する第１Ｄａｔ電極電圧パルスＶp1および第２Ｄａｔ電極電圧パルスＶp2は、Ｈｉｇｈレベルの期間を同時に維持することがないようにすることが望ましい。
【００４７】
また、第１Ｄａｔ電極１１２ａに印加する第１Ｄａｔ電極電圧パルスＶp1は、第１の維持放電が終了した後のタイミングで立ち下げる。
次に、図４に示すように、Ｓｕｓ電極１１２ｂに印加した所要周期（例えば、６μｓｅｃ．）、所要電圧（例えば、約１８０Ｖ）のＳｕｓ電極電圧パルスＶｓｕｓが、ＨｉｇｈレベルからＬｏｗレベルへ立ち下がり始めるタイミングｔ１２とほぼ同期したタイミングｔ１４に、第２Ｄａｔ電極１２２ｂに所要周期（例えば、６μｓｅｃ．）、所要電圧（例えば、約７０Ｖ）の第２Ｄａｔ電極電圧パルスＶp2を印加する。そして、上記同様に、Ｓｃｎ電極１１２ａとＳｕｓ電極１１２ｂとの間の電位差が放電開始電圧を超えるタイミングｔ１６から発光波形を観察する。
【００４８】
また、図５（ｂ）に示すように、表示電極対１１２間で発生する維持放電は、第２Ｄａｔ電極１２２ｂとＳｃｎ電極１１２ａおよびＳｕｓ電極１１２ｂとの間において、電気力線が第２Ｄａｔ電極１２２ｂの電位による影響を受け、背面パネル１３の第２Ｄａｔ電極１２２ｂの側（図５（ｂ）における向かって右側）に誘導された第２の維持放電を発生することになる。
【００４９】
また、上記の第１Ｄａｔ電極１２２ａに印加する第１Ｄａｔ電極電圧パルスＶp1と同じように、第２Ｄａｔ電極１２２ｂに印加する第２Ｄａｔ電極電圧パルスＶp2は、第２の維持放電が終了した後のタイミングで立ち下げる。
４．ＰＤＰ装置１が有する優位性
以上のように、本実施の形態に係るＰＤＰ装置１では、上記構成および駆動方法を採用することで、表示発光を得る維持期間Ｔ3において、少なくとも対をなす２本のＤａｔ電極１２２ａ、１２２ｂに交互に維持ＤａｔパルスＶp1、Ｖp2を印加して駆動し、Ｓｃｎ電極１１２ａとＳｕｓ電極１１２ｂ間で発生する維持放電を、背面パネル１２の各Ｄａｔ電極１２２ａ、１２２ｂ側に交互に伸展させた状態で発生させることができる。これによって、ＰＤＰ装置１では、従来に比べて、維持放電の放電路が長くなり、背面パネル１２に形成された蛍光体層１２５に放電がより近づくことになる。従って、維持放電発生時における陽光柱領域を大きくでき、紫外線発生効率を高くすると同時に、紫外線伝達効率の向上を図ることができる。
【００５０】
また、対をなす第１および第２Ｄａｔ電極１２２ａ、１２２ｂに交互にＤａｔ電極電圧パルスＶp1、Ｖp2を印加することによって、各Ｄａｔ電極１２２ａ、１２２ｂに対応する次の維持放電までの期間が長くなる。このため、ＰＤＰ装置１では、従来のＰＤＰ装置に比べて、Ｄａｔ電極電圧パルスの立ち下がりのタイミングが厳しくなくなる。従って、発光効率が向上するためのＤａｔ電極電圧パルスＶp1、Ｖp2の印加タイミングの設定マージンを広くすることができ、全ての放電セルで均一に発光効率を向上することができる。さらに、Ｄａｔ電極電圧パルスＶp1、Ｖp2の電圧波形の傾斜をなだらかに設定することができ、無効電力の回収効率も向上させることができる。
【００５１】
また、各Ｄａｔ電極１２２ａ、１２２ｂのＤａｔ電極電圧パルスＶp1、Ｖp2の立ち下げタイミングを、それぞれの維持放電が終了した後のタイミングで立ち下げることにより、従来に比べて、安定した発光状態を保つことができる。
なお、本発明者らが上記優位性を確認するために実施した実験によれば、各放電セルのＤａｔ電極１２２ａ、１２２ｂについては少なくとも対をなすように２本以上設けておき、表示発光を得る維持期間Ｔ3において、Ｓｃｎ電極１１２ａとＳｕｓ電極１１２ｂと対向する対をなす２本のＤａｔ電極１２２ａ、１２２ｂとの間で、交互に放電路が長い維持放電（第１の維持放電、第２の維持放電）が発生するように構成することにより、上記図９（ｂ）の方式で駆動する特許文献１のＰＤＰ装置５００に比べて、発光効率を３０％向上させることができた。
【００５２】
また、第１Ｄａｔ電極１２２ａ、第２Ｄａｔ電極１２２ｂへの各電圧パルスＶp1、Ｖp2の印加によって、前面パネル１１と背面パネル１２との間に予備放電を生じるようにしても、上記同様の効果を得ることができる。
５．Ｄａｔ電極電圧パルスＶp1、Ｖp2の印加タイミングについて
本実施の形態においては、図４に示すようなタイミングをもってＤａｔ電極電圧パルスＶp1、Ｖp2を印加することとしたが、発光効率を高めるという観点から、以下の条件に従ってタイミングｔ１３、ｔ１４を設定しておくことが望ましい。
【００５３】
５−１．Ｓｃｎ電極電圧パルスＶscnおよびＳｕｓ電極電圧パルスＶsusの各々におけるＨｉｇｈレベルの設定時間が、Ｌｏｗレベルの設定時間と同一またはそれよりも長く設定されている場合
当該場合には、Ｓｃｎ電極電圧パルスＶscnのパルス波形がＨｉｇｈレベルからＬｏｗレベルへと立ち下がり始めるタイミング（タイミングｔ１１）を基準とし、この基準に基づいて第１Ｄａｔ電極電圧パルスＶp1の立ち上がり始めのタイミング（タイミングｔ１３）を設定し、一方、 Ｓｕｓ電極電圧パルスＶsusのパルス波形がＨｉｇｈレベルからＬｏｗレベルへと立ち下がり始めるタイミング（タイミングｔ１２）を基準とし、この基準に基づいて第２Ｄａｔ電極電圧パルスＶp2の立ち上がり始めのタイミング（タイミングｔ１４）を設定することが望ましい。
【００５４】
より具体的には、例えば、第１Ｄａｔ電極電圧パルスＶp1の立ち上がり始めのタイミング（タイミングｔ１３）を、タイミングｔ１１を基準として、この基準に対し１．０μｓｅｃ．先行した時点から０．５μｓｅｃ．経過した時点までの期間内に設定することが望ましく、また、第２Ｄａｔ電極電圧パルスＶp2の立ち上がり始めのタイミング（タイミングｔ１４）を、タイミングｔ１２を基準として、この基準に対し１．０μｓｅｃ．先行した時点から０．５μｓｅｃ．経過した時点までの期間内に設定することが望ましい。
【００５５】
５−２．Ｓｃｎ電極電圧パルスＶscnおよびＳｕｓ電極電圧パルスＶsusの各々におけるＨｉｇｈレベルの設定時間が、Ｌｏｗレベルの設定時間よりも短く設定されている場合
当該場合には、Ｓｃｎ電極電圧パルスＶscnのパルス波形がＬｏｗレベルからＨｉｇｈレベルへと立ち上がり始めるタイミングを基準とし、この基準に基づいて第１Ｄａｔ電極電圧パルスＶp1の立ち上がり始めのタイミング（タイミングｔ１３）を設定し、一方、 Ｓｕｓ電極電圧パルスＶsusのパルス波形がＬｏｗレベルからＨｉｇｈレベルへと立ち上がり始めるタイミングを基準とし、この基準に基づいて第２Ｄａｔ電極電圧パルスＶp2の立ち上がり始めのタイミング（タイミングｔ１４）を設定することが望ましい。
【００５６】
より具体的には、例えば、第１Ｄａｔ電極電圧パルスＶp1の立ち上がり始めのタイミング（タイミングｔ１３）を、Ｓｃｎ電極電圧パルスＶscnのパルス波形がＬｏｗレベルからＨｉｇｈレベルへと立ち上がり始めるタイミングを基準として、この基準に対し１．０μｓｅｃ．先行した時点から０．５μｓｅｃ．経過した時点までの期間内に設定することが望ましく、また、第２Ｄａｔ電極電圧パルスＶp2の立ち上がり始めのタイミング（タイミングｔ１４）を、Ｓｕｓ電極電圧パルスＶsusのパルス波形がＬｏｗレベルからＨｉｇｈレベルへと立ち上がり始めるタイミングを基準として、この基準に対し１．０μｓｅｃ．先行した時点から０．５μｓｅｃ．経過した時点までの期間内に設定することが望ましい。
【００５７】
５−３．第１Ｄａｔ電極電圧パルスＶp1と第２Ｄａｔ電極電圧パルスＶp2との関係
第１Ｄａｔ電極電圧パルスＶp1と第２Ｄａｔ電極電圧パルスＶp2とは、図４に示すように、Ｓｃｎ電極電圧パルスＶscnのパルス波形の周期およびＳｕｓ電極電圧パルスＶsusのパルス波形の周期と同一長さの周期長さに設定しておくことが望ましい。
また、第１Ｄａｔ電極電圧パルスＶp1と第２Ｄａｔ電極電圧パルスＶp2とは、これも図４に示すように、互いのＨｉｇｈレベル状態が時間的に重畳しないように設定されることが望ましい。
（実施の形態２）
本発明の実施の形態２に係るＰＤＰ装置２について、図面を参酌しながら説明する。なお、本実施の形態に係るＰＤＰ装置２には、上記図１の間隙ｄが２００（μｍ）である点以外に、上記実施の形態１に係るＰＤＰ装置１との構造上の相違点はない。以下では、駆動方法、特に維持期間Ｔ3における駆動方法について、図６および図７を用いて説明する。
【００５８】
図６に示すように、ＰＤＰ装置２の駆動では、表示発光を得る維持期間Ｔ3において、Ｓｃｎ電極１１２ａに印加した所要周期（例えば、６μｓｅｃ．）、所要電圧（例えば、約２７０Ｖ）のＳｃｎ電極電圧パルスＶscnが、ＬｏｗレベルからＨｇｈｉレベルへ立ち上がり始めるタイミングｔ２１より先行したタイミングｔ２３で、第１Ｄａｔ電極１２２ａに所要周期（例えば、６μｓｅｃ．）、所要電圧（例えば、約７０Ｖ）の第１Ｄａｔ電極電圧パルスＶp1を印加し、図７（ａ）に示すように、第１Ｄａｔ電極１２２ａとＳｕｓ電極間１１２ｂとの間に第１の予備放電を発生させる。
【００５９】
次いで、Ｓｃｎ電極１１２ａにＳｃｎ電極電圧パルスＶscnを印加することにより、図７（ｂ）に示すように、Ｓｃｎ電極１１２ａとＳｕｓ電極１１２ｂの間に表示発光のための維持放電を発生させる。
続いて、図６に示すように、Ｓｕｓ電極１１２ｂに印加した所要周期（例えば、６μｓｅｃ．）、所要電圧（例えば、約２７０Ｖ）のＳｕｓ電極電圧パルスＶsusがＬｏｗレベルからＨｉｇｈレベルへ立ち上がり始めるタイミングｔ２２より先行したタイミングｔ２４で、第２Ｄａｔ電極１２２ｂに所要周期（例えば、６μｓｅｃ．）、所要電圧（例えば、約７０Ｖ）の第２Ｄａｔ電極電圧パルスＶp2を印加し、図７（ｃ）に示すように、第２Ｄａｔ電極１２２ｂとＳｃｎ電極１１２ａとの間に第２の予備放電を発生させる。
【００６０】
次いで、Ｓｕｓ電極１１２ｂにＳｕｓ電極電圧パルスＶsusを印加することにより、図７（ｄ）に示すように、Ｓｃｎ電極１１２ａとＳｕｓ電極１１２ｂの間に表示発光のための維持放電を発生させる。そして、これらを交互に予備放電、維持放電を繰り返し発生させる。
また、維持期間Ｔ3において、第１Ｄａｔ電極１２２ａおよび第２Ｄａｔ電極１２２ｂにそれぞれ印加する、第１Ｄａｔ電極電圧パルスＶp1および第２Ｄａｔ電極電圧パルスＶp2を、Ｓｃｎ電極１１２ａとＳｕｓ電極１１２ｂ間の維持放電が終了した後のタイミングで、ＨｉｇｈレベルからＬｏｗレベルに変化させ立ち下げることが望ましい。これにより、安定した発光状態を保つことができる。
【００６１】
維持期間Ｔ3において、第１Ｄａｔ電極１２２ａおよび第２Ｄａｔ電極１２２ｂにそれぞれ印加する第１Ｄａｔ電極電圧パルスＶp1および第２Ｄａｔ電極電圧パルスＶp2は、Ｈｉｇｈレベルの期間を同時に維持することがないようにすることが望ましい。
以上のように、本実施の形態に係るＰＤＰ装置２では、上記駆動方法を採用することによって、表示発光を得る維持期間Ｔ3において、維持放電に先行して、Ｓｃｎ電極１１２ａとＳｕｓ電極１１２ｂと対向する複数本のＤａｔ電極１２２間で、互いに予備放電を発生させることにより、予備放電によるプライミング効果によって、放電セルのＳｃｎ電極１１２ａとＳｕｓ電極１１２ｂ間の放電開始電圧および維持放電電圧を低減することができる。
【００６２】
また、少なくとも対をなす２本のＤａｔ電極１２２ａ、１２２ｂに交互にＤａｔ電極電圧パルスＶp1、Ｖp2を印加することによって、各Ｄａｔ電極１２２ａ、１２２ｂに対応する次の維持放電までの期間が長くなるため、従来のＰＤＰ装置に比べて、Ｄａｔ電極電圧パルスＶp1、Ｖp2の立ち下がりのタイミングが厳しくなくなる。従って、発光効率が最大となるＤａｔ電極電圧パルスＶp1、Ｖp2の印加タイミングの設定マージンを広くすることができる。このため、ＰＤＰ装置２では、全ての放電セルで均一に発光効率を向上することができる。さらに、Ｄａｔ電極電圧パルスＶp1、Ｖp2の電圧波形の傾斜をなだらかに設定することができ、無効電力の回収効率も向上させることができる。
【００６３】
また、各データ電極のデータ電極電圧パルスの立ち下げ時間を、それぞれの維持放電が終了した後の時間に立ち下げることにより、従来に比べて、安定した発光状態を保つことができる。
なお、本発明者らが上記優位性を確認するために実施した実験によれば、各放電セルのＤａｔ電極１２２ａ、１２２ｂについては少なくとも対をなすように２本以上設けておき、表示発光を得る維持期間Ｔ3において、維持放電に先行して、Ｓｃｎ電極１１２ａとＳｕｓ電極１１２ｂと対向する２本のＤａｔ電極１２２ａ、１２２ｂとの間で、交互に予備放電が発生するように構成することにより、Ｓｃｎ電極１１２ａおよびＳｕｓ電極１１２ｂと対向する１本のＤａｔ電極１２２との間に予備放電を起こさせる従来の方式より、発光効率を２０％向上させることができた。
（その他の事項）
上記実施の形態１および実施の形態２の構成、駆動方法などについては適宜変更が可能である。例えば、次のように変更を加えることができる。
【００６４】
（１）上記実施の形態１、２においては、各放電セルで第１Ｄａｔ電極１２２ａ、第２Ｄａｔ１２２ｂとでＤａｔ電極対１２２を構成することとしたが、各放電セルで３本以上のＤａｔ電極を配することとしても構わない。このとき、放電セル内において、複数本のＤａｔ電極の配列は、互いに平行であっても平行でなくても構わない。また、１つの放電セルあたりのＤａｔ電極数を３本以上とするときに、これらを第１のＤａｔ電極群および第２のＤａｔ電極群のようにまとめて配列してもよく、これらを交互に共通にして櫛形電極の形で配列しても構わない。さらに、複数本のＤａｔ電極の形状はそれぞれ棒状でも凸凹形状でも、互いに嵌合した形状でもよい。
【００６５】
（２）上記実施の形態１、２においては、Ｓｃｎ電極電圧パルスＶscnおよび維持電極電圧パルスＶsusを、図４に示すように、両パルスをＨｉｇｈレベルとＬｏｗレベルの設定時間が同一の電圧パルスとしたが、Ｈｉｇｈレベルの設定時間がＬｏｗレベルより長い電圧パルス、あるいは、Ｈｉｇｈレベルの設定時間がＬｏｗレベルより短い電圧パルスの場合でも同様に実施可能である。
【００６６】
（３）上記実施の形態１、２においては、第１Ｄａｔ電極１２２ａおよび第２Ｄａｔ電極１２２ｂにそれぞれ印加する、第１Ｄａｔ電極電圧パルスＶp1および第２Ｄａｔ電極電圧パルスＶp2を、Ｓｃｎ電極電圧パルスＶscnおよびＳｕｓ電極電圧パルスＶsusが立ち下がり始めるタイミングと略同期したタイミングで印加することとしたが、Ｓｃｎ電極電圧パルスＶscnおよびＳｕｓ電極電圧パルスＶsusのＨｉｇｈレベル、Ｌｏｗレベルの期間の設定幅によって、Ｄａｔ電極電圧パルスＶp1、Ｖp2の最適印加タイミングを適宜変更されるものであることは言うまでもない。
【００６７】
（４）上記実施の形態１、２においては、Ｓｃｎ電極電圧パルスＶscn、Ｓｕｓ電極電圧パルスＶsus、Ｄａｔ電極電圧パルスＶp1、Ｖp2の各電圧値やその周期あるいはデューティ比を特定を一例としたが、本発明の主旨の範囲内の数値であれば、これに限定を受けるものではない。
（５）上記実施の形態１、２においては、Ｓｃｎ電極電圧パルスＶscn、Ｓｕｓ電極電圧パルスＶsus、Ｄａｔ電極電圧パルスＶp1、Ｖp2のＬｏｗレベルにおける電圧値を一例として零電位としたが、必要に応じて直流バイアスを重畳しても構わない。
【００６８】
（６）上記実施の形態１、２においては、第１Ｄａｔ電極１２２ａ、第２Ｄａｔ電極１２２ｂへ印加するＤａｔ電極電圧パルスＶp1、Ｖp2の電圧パルスがＨｉｇｈレベルとなるパルス時間幅を同じとしたが、放電セルなどが非対称な形状に形成の場合には、Ｄａｔ電極電圧パルスＶp1、Ｖp2の電圧パルス幅を互いに異なった時間幅としても構わない。
（７）上記実施の形態１、２においては、Ｓｃｎ電極電圧パルスＶscnの印加タイミングに応じて第1Ｄａｔ電極電圧パルスＶp1の印加タイミングを制御し、また、Ｓｕｓ電極電圧パルスＶsusの印加タイミングに応じて第２Ｄａｔ電極電圧パルスＶp2の印加タイミングを制御することとしたが、これらの対応付けについては、これに限定されるものではない。例えば、Ｓｕｓ電極電圧パルスＶsusの印加タイミングに応じて第１Ｄａｔ電極電圧パルスＶp1の印加タイミングを制御し、Ｓｃｎ電極電圧パルスＶscnの印加タイミングに応じて第２Ｄａｔ電極電圧パルスＶp2の印加タイミングを制御してもよい。このような場合にも、上記実施の形態１、２と同様の効果を得ることができる。
【００６９】
（８）上記実施の形態１、２においては、図２に示すように、書き込み期間Ｔ2に第１Ｄａｔ電極１２２ａと第２Ｄａｔ電極１２２ｂの両方にデータの書き込みを行うこととしたが、第１Ｄａｔ電極１２２ａまたは第２Ｄａｔ電極１２２ｂの何れか一方にだけデータの書き込みを行うことにしてもよい。ただし、このように書き込み期間Ｔ2に一方のＤａｔ電極（１２２ａまたは１２２ｂ）を用いてデータの書き込みを行う場合には、駆動部の製造コストという面で優位であるものの、パネルの発光効率の向上等の上記効果を得るためには、上記実施の形態１、２のように書き込み期間Ｔ2に両Ｄａｔ電極１２２ａ、１２２ｂにデータの書き込みを行うことが望ましい。
【産業上の利用可能性】
【００７０】
本発明は、大型のテレビジョンやハイビジョンテレビジョンあるいは大型表示装置など、映像機器産業、宣伝機器産業、産業機器やその他の産業分野に利用するＰＤＰ装置を実現する上で有効である。
【図面の簡単な説明】
【００７１】
【図１】本発明の実施の形態１に係るプラズマディスプレイパネル装置１のパネル部１０を示す要部斜視図である。
【図２】本発明の実施の形態１に係るプラズマディスプレイパネル装置１を示すブロック図である。
【図３】プラズマディスプレイパネル装置１の駆動において、各電極に対してのパルスの印加タイミングを示すタイミング図である。
【図４】プラズマディスプレイパネル装置１において、維持期間Ｔ3での各電極に対してのパルスの印加タイミングを示すタイミング図である。
【図５】プラズマディスプレイパネル装置１における維持放電期間Ｔ3での放電過程を示す概念図である。
【図６】本発明の実施の形態２に係るプラズマディスプレイパネル装置２において、維持期間Ｔ3に各電極に対してのパルスの印加タイミングを示すタイミング図である。
【図７】プラズマディスプレイパネル装置２において、維持期間Ｔ3に各電極に対してのパルスの印加タイミングを示すタイミング図である。
【図８】従来のプラズマディスプレイパネル装置のパネル部５００を示す要部斜視図である。
【図９】従来のプラズマディスプレイパネル装置の駆動において、維持期間での各電極に対するパルスの印加タイミングを示すタイミング図である。
【図１０】従来のプラズマディスプレイパネル装置における維持期間での予備放電の発生形態を示す概念図である。
【符号の説明】
【００７２】
１．プラズマディスプレイパネル装置
１０．パネル部
１１．前面パネル
１２．背面パネル
１３．放電空間
２０．駆動回路部
２８．維持データパルス・タイミング生成部
１１２ａ．スキャン電極
１１２ｂ．サスティン電極
１１３、１２３．誘電体層
１１４．保護層
１２２ａ．第１データ電極
１２２ｂ．第２データ電極
１２５．蛍光体層
【図１】
2005308893.tif 000003
【図２】
2005308893.tif 000004
【図３】
2005308893.tif 000005
【図４】
2005308893.tif 000006
【図５】
2005308893.tif 000007
【図６】
2005308893.tif 000008
【図７】
2005308893.tif 000009
【図８】
2005308893.tif 000010
【図９】
2005308893.tif 000011
【図１０】
2005308893.tif 000012